(57)【特許請求の範囲】
【請求項１】
洗濯水を溜めるとともに洗濯物を収容する洗濯槽と、前記洗濯槽内の洗濯物を撹拌するパルセータと、通水路を通してその上部に設けた吐出口から前記洗濯槽内の洗濯物上に洗濯水をかける循環ポンプと、前記循環ポンプを駆動する駆動部と、前記駆動部を回転させるモータとを備え、前記パルセータを上下動自在に構成するとともに、前記循環ポンプを前記パルセータの下部に設け、前記パルセータは、下方へ移動させて前記循環ポンプと一体で回転する連結状態と、前記パルセータを上方へ移動させて前記循環ポンプと非連結状態となるように切換可能に構成した洗濯機。
【請求項２】
パルセータは、循環ポンプと非連結状態としたときに前記循環ポンプに対して回転摺動自在となるように構成した請求項１記載の洗濯機。
【請求項３】
洗濯水を溜めるとともに洗濯物を収容する洗濯槽と、前記洗濯槽内の洗濯物を撹拌する上下動自在なパルセータと、前記パルセータを上方へ付勢するバネと、前記洗濯槽内の洗濯水に回転水流をつくる流体羽根と、前記流体羽根を駆動する駆動部と、前記駆動部を回転させるモータとを備え、前記流体羽根を前記パルセータの下部に設けるとともに、前記パルセータは、前記流体羽根の間欠駆動により駆動時の回転水流による下方への吸引力と、停止時の前記バネの上方への付勢力により上下動する構成とした洗濯機。
【発明の詳細な説明】
【０００１】
【産業上の利用分野】
本発明は家庭で使用される衣類の洗浄を行う洗濯機に関するものである。
【０００２】
【従来の技術】
従来の洗濯機の構成を添付の図２８に基づいて説明する。図において、１は洗濯機の本体、２は洗濯水を溜める洗濯槽、３は高速回転を行うことにより衣類の脱水を行う洗濯槽２内に設けた脱水槽、４は脱水槽３の底部に配設された洗濯手段すなわちパルセータであり、パルセータ裏面には循環水流を発生させる羽根５を形成している。６は洗濯水を洗濯物上部に向けてシャワー状に吐出させる脱水槽３の上部に設けた吐出口である。７は伝達機構であり、内部に洗濯時にパルセータ４の回転を所定の回転に減速する減速ギアと、洗濯行程・脱水行程に応じパルセータ４または脱水槽３への回転駆動伝達を切り換えるクラッチと、脱水槽３の回転を減速するブレーキを内蔵している。８は上記洗濯槽２の底部に設けたモータ、９、１０はそれぞれモータ側プーリ、伝達機構側プーリであり、ベルト１１を介してモータ８の動力を伝達する。１２は水道に接続され洗濯槽２に洗濯水を給水制御するする給水手段すなわち給水弁であり、１３は洗濯槽２に給水する経路途中に設けた洗剤入れである。
【０００３】
以上のように構成された従来の洗濯機の洗濯について、その動作を以下に簡単に説明する。洗濯機の使用者は、まず脱水槽３に洗濯物（図示せず）を投入し、次に洗濯物の量に応じた洗剤を洗剤入れ１３に入れ、その後洗濯機のスタートスイッチを押し洗濯を開始する。この後、給水弁１２が開き給水を始めるが、給水される洗濯水は給水経路途中にある洗剤入れ１３内の洗剤を洗濯槽２内に流し込む。所定の量の給水が終わった後、パルセータ４が回転駆動され洗濯物を転動させるとともに羽根５のポンプ作用により洗濯水は循環され吐出口６からシャワー状となって洗濯物にかけられる。これにより、投入された洗剤は素早く溶解するとともにシャワーが洗濯物に作用し高い洗浄性能を得ている。洗浄を行った後、すすぎ、脱水を行い洗濯を終了する。
【０００４】
【発明が解決しようとする課題】
上記従来の洗濯機では、パルセータ４の高速回転により洗濯物を転動させ、洗濯物に大きな機械力を与えることにより洗浄を行っている。これによって洗濯物の汚れは効率的に落ち、洗浄効率の高い洗濯機を提供することができる。
【０００５】
しかし、衣類の種類によっては、傷み・からみが極めて大きくなり、ウール等のデリケートな素材の衣類や型くずれの生じ易いブラウス等のおしゃれ着洗浄には適切でなかった。近年このような衣類の洗濯方法として、少量の洗濯物に対しての大量の洗濯水を用い前記パルセータ４を低速回転駆動することにより、パルセータ４が洗濯物へ与える機械力をやわらげる洗濯方式を採用した洗濯機が実現されている。しかしながらこのような洗浄方式では、１．２ｋｇ程度の少量の洗濯物に対して５２リットル程度の大量の洗濯水が必要になるとともに洗濯物の量に対して極めて多量の洗剤を必要とし、またパルセータ４が低速といえども回転しているため洗濯物への機械的な力の作用は避けがたく、布傷み・縮み・型くずれ・からみ等の面で問題があった。
【０００６】
本発明は、上記従来の課題を解決するもので、衣類に優しい洗浄と、汚れを効率よく落とす通常の洗浄方式の両方を実現することを目的とする。
【０００７】
【課題を解決するための手段】
上記の目的を達成するための本発明の第１の手段は、洗濯水を溜めるとともに洗濯物を収容する洗濯槽と、前記洗濯槽内の洗濯物を撹拌するパルセータと、通水路を通してその上部に設けた吐出口から前記洗濯槽内の洗濯物上に洗濯水をかける循環ポンプと、前記循環ポンプを駆動する駆動部と、前記駆動部を回転させるモータとを備え、前記パルセータを上下動自在に構成するとともに、前記循環ポンプを前記パルセータの下部に設け、前記パルセータは、下方へ移動させて前記循環ポンプと一体で回転する連結状態と、前記パルセータを上方へ移動させて前記循環ポンプと非連結状態となるように切換可能に構成したものである。
【０００８】
第２の手段は、上記第１の手段に加えて、パルセータは、循環ポンプと非連結状態としたときに前記循環ポンプに対して回転摺動自在となるように構成したものである。
【０００９】
第３の手段は、洗濯水を溜めるとともに洗濯物を収容する洗濯槽と、前記洗濯槽内の洗濯物を撹拌する上下動自在なパルセータと、前記パルセータを上方へ付勢するバネと、前記洗濯槽内の洗濯水に回転水流をつくる流体羽根と、前記流体羽根を駆動する駆動部と、前記駆動部を回転させるモータとを備え、前記流体羽根を前記パルセータの下部に設けるとともに、前記パルセータは、前記流体羽根の間欠駆動により駆動時の回転水流による下方への吸引力と、停止時の前記バネの上方への付勢力により上下動する構成としたものである。
【００１０】
【作用】
本発明の第１の手段により、洗浄手段すなわちパルセータと駆動部とを連結状態とすれば、従来の洗濯機と同様の綿や化学繊維素材の一般衣類等の標準的な洗浄が可能となる。また、洗浄手段と駆動部とを非連結状態とし洗浄手段を駆動部と回転摺動自在とすれば、洗浄手段の回転は非常に穏やかとなり、ウール等のデリケートな素材の衣類や型くずれの生じ易いブラウス等のおしゃれ着等の衣類に対する機械力すなわち物理力は極めて小さくすることが可能となる。これにより、布傷み・縮み・型くずれ・からみ等の極めて少ない洗浄が可能となる。また、洗浄手段への衣類の接触も気にする必要がなくなり洗濯に必要な水量は衣類が浸る程度で済み、極めて少量の洗濯水で洗浄が可能となるとともに洗剤使用量も極めて少量で洗浄することができる。また、循環ポンプは駆動部と連結しているため高速回転を行い洗濯水を洗濯槽内へ吐出循環させることが可能となる。このため衣類の動きを皆無としながらも循環水流により衣類を通過する水流を生じさせることができ、衣類に優しい洗浄を行うことができるとともに洗浄性能の高いおしゃれ着洗浄を実現することが可能となる。
【００１１】
第２の手段により、洗浄手段すなわちパルセータを穏やかに回転させることができ、衣類に優しい洗浄を行うことができる。
【００１２】
第３の手段により、洗浄手段すなわちパルセータと駆動部とを非連結状態とし、洗浄手段を駆動部と回転および上下摺動自在としたとき、流体羽根は駆動部と連結しているため高速回転を行い、洗濯手段と流体羽根間の洗濯水には回転水流が生じる。この回転水流により洗浄手段を穏やかに回転させるとともに吸引力により上下方向の動きを実現することができ、衣類に対する傷み・縮み・型くずれ・からみ等の少ない洗浄が可能となるとともに洗浄手段の上下方向の動きにより洗浄性能の高いおしゃれ着洗浄を実現することができる。さらに洗浄手段の回転力は回転流体によるため、衣類の量が多量の時等洗浄手段に衣類が接触する機会が多い時は、洗浄手段の回転を極めて低速とすることができ、どのような衣類の時でも衣類に優しい洗浄を行うことが可能となる。
【００１３】
【実施例】
以下、本発明の第１の実施例を図１に基づいて説明する。ここで、従来例と同様の構成のものは同一番号を付し詳細な説明を省略する。１は本体、２は洗濯槽、３は脱水槽、７は伝達機構、８は上記洗濯槽２の底部に設けたモータ、９はモータ側プーリ、１０は伝達機構側プーリ、１１はベルト、１２は給水弁である。１３は洗濯槽２に給水する経路途中に設けた洗剤入れである。１４は洗浄手段すなわちパルセータであり、１５はモータ８の回転駆動力を伝達機構７を介して伝える駆動部すなわち駆動軸である。駆動軸１５にはパルセータ１４と噛み合う嵌合凸部１６を有する嵌合ナット１７を設け、嵌合ナット１７を回転させることにより嵌合ナット１７が上下する構成としている。パルセータ１４には嵌合ナット１７の嵌合凸部１６と噛み合う嵌合凹部１８を設けている。またパルセータ１４は駆動軸１５と摺動部１９で回転摺動可能としている。
【００１４】
以下に本実施例の動作を説明する。通常の衣類を洗濯する場合は、嵌合ナット１７を回し下方に移動させ嵌合凸部１６とパルセータ１４の嵌合凹部１８を連結し、駆動軸１５とパルセータ１４とを一体とする。このときは全く通常の全自動洗濯機として洗浄、すすぎ、脱水が行える。
【００１５】
つぎに、ウール等のデリケートな素材の衣類や型くずれの生じ易いブラウス等のおしゃれ着等を洗濯する場合は、嵌合ナット１７を逆方向に回し上方に移動させ嵌合凸部１６とパルセータ１４の嵌合凹部１８を非連結とし、駆動軸１５とパルセータ１４とを回転摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ１４に伝わる回転駆動力は摺動部１９での駆動軸１５との摩擦力だけとなり、パルセータ１４の回転は非常に穏やかとなり、ウール等のデリケートな素材の衣類や型くずれの生じ易いブラウス等のおしゃれ着等の衣類に対する機械力すなわち物理力は極めて小さくすることができる。これにより布傷み・縮み・型くずれ・からみ等の極めて少ない洗浄が可能となる。またパルセータ１４への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００１６】
次に第２の実施例について図２、図３、図４に基づいて説明する。２０は洗浄手段すなわちパルセータであり、２１はモータ８の回転駆動力を伝達機構７を介して伝える駆動部すなわち駆動軸である。駆動軸２１にはパルセータ２０と噛み合う駆動軸嵌合部２２を設け、パルセータ２０には駆動軸２１の駆動軸嵌合部２２と噛み合うパルセータ嵌合部２３を設けている。パルセータ２０は駆動軸２１に対して摺動部２５で回転かつ上下摺動可能としている。２４は移動ナットであり、移動ナット２４を回転させることによりバネ２６で上方に付勢したパルセータ２０を上下自在としている。
【００１７】
以下に本実施例の動作を説明する。通常の衣類を洗濯する場合は、移動ナット２４を回し下方に移動させ駆動軸嵌合部２２とパルセータ嵌合部２３を連結し、図４のように駆動軸２１とパルセータ２０とを一体とする。このときは全く通常の全自動洗濯機として洗浄、すすぎ、脱水が行える。
【００１８】
つぎに、ウール等のデリケートな素材の衣類や型くずれの生じ易いブラウス等のおしゃれ着等を洗濯する場合は、移動ナット２４を逆方向に回し上方に移動させ非連結とし、図３のように駆動軸２１とパルセータ２０とを摺動部２５で回転摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ２０に伝わる回転駆動力はパルセータ２０の摺動部２５と駆動軸２１との摩擦力だけとなり、パルセータ２０の回転は非常に穏やかとなり、ウール等のデリケートな素材の衣類や型くずれの生じ易いブラウス等のおしゃれ着等の衣類に対する機械力すなわち物理力は極めて小さくすることができる。これにより布傷み・縮み・型くずれ・からみ等の極めて少ない洗浄が可能となる。またパルセータ２０への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。このように、通常洗浄とパルセータの回転摺動自在とを極めて容易な操作で切り換えが可能となる。
【００１９】
次に第３の実施例について図５、図６、図７に基づいて説明する。２６は洗浄手段すなわちパルセータであり、２７はモータ８の回転駆動力を伝達機構７を介して伝える駆動部すなわち駆動軸である。２８は循環ポンプであり、駆動軸２７と連結している。２９は循環ポンプ２８で送られる洗濯水の通水路であり、上部には吐出口３０を設けている。循環ポンプ２８にはパルセータ２６と噛み合う循環ポンプ嵌合部３１を設け、パルセータ２６には循環ポンプ２８と噛み合うパルセータ嵌合部３２を設けている。パルセータ２６は駆動軸２７に対して駆動軸２７に設けた摺動部３３で回転かつ上下摺動可能としている。３４は移動ナットであり、移動ナット３４を回転させることによりバネ３５で上方に付勢したパルセータ２６を上下する構成としている。
【００２０】
以下に本実施例の動作を説明する。通常の衣類を洗濯する場合は、移動ナット３４を回し下方に移動させ循環ポンプ嵌合部３１とパルセータ嵌合部３２を連結し、図７に示すように循環ポンプ２８とパルセータ２６とを一体とする。このとき、駆動軸２７が回転すると循環ポンプ２８およびパルセータ２６が一体で回転する。循環ポンプ２８の作用により、洗濯水は通水路２９を通り吐出口３０よりシャワー状に衣類上にかけられ、この上下の水流により効果的な洗浄を行うことができる。
【００２１】
つぎに、ウール等のデリケートな素材の衣類や型くずれの生じ易いブラウス等のおしゃれ着等を洗濯する場合は、移動ナット３４を逆方向に回し上方に移動させ非連結とし、図６に示すように循環ポンプ２８とパルセータ２６とを摺動部３３で回転摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ２６に伝わる回転駆動力はパルセータ２６の摺動部３３と駆動軸２７との摩擦力だけとなり、パルセータ２６の回転は非常に穏やかとなり、ウール等のデリケートな素材の衣類や型くずれの生じ易いブラウス等のおしゃれ着等の衣類に対する機械力すなわち物理力は極めて小さくすることができる。これにより布傷み・縮み・型くずれ・からみ等の極めて少ない洗浄が可能となる。また循環ポンプ２８は駆動軸２７と連結しているため高速で回転し、洗濯水は通水路２９を通り吐出口３０よりシャワー状に吐出する循環が可能となる。このようにパルセータ２６がほとんど回転しない状態でも、衣類上への循環シャワーの供給が可能となり、衣類の動きを皆無としながらも循環水流により衣類を通過する水流を生じさせ、さらに洗剤の溶解を早めることができ、衣類に優しい洗浄を行うことができるとともに洗浄性能の高いおしゃれ着洗浄を実現することが可能となる。さらにはパルセータ２６への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００２２】
次に第４の実施例について図８、図９、図１０、図１１に基づいて説明する。３６は洗浄手段すなわちパルセータであり、３７はモータ８の回転駆動力を伝達機構７を介して伝える駆動部すなわち駆動軸である。３８は循環ポンプであり、駆動軸３７と連結している。３９は循環ポンプ３８で送られる洗濯水の通水路であり、上部には吐出口４０を設けている。循環ポンプ３８にはパルセータ３６と噛み合う循環ポンプ嵌合部４１を設け、パルセータ３６には循環ポンプ３８と噛み合うパルセータ嵌合部４２を設けている。パルセータ３６は駆動軸３７に対して摺動部４３で回転かつ上下摺動可能としている。４４は移動ナットであり、移動ナット４４を回転させることによりバネ４５で上方に付勢したパルセータ３６を上下する構成としている。４６はパルセータ３６が駆動軸３７と回転摺動自在時に、パルセータ３６の回転を強制的に止める回転停止手段である。
【００２３】
以下に本実施例の動作を説明する。通常の衣類を洗濯する場合は、移動ナット４４を回し下方に移動させ循環ポンプ嵌合部４１とパルセータ嵌合部４２を連結し、図１０に示すように循環ポンプ３８とパルセータ３６とを一体とする。このとき、駆動軸３７が回転すると循環ポンプ３８およびパルセータ３６が一体で回転し、回転停止手段４６はパルセータ３６の回転を阻害することがない。循環ポンプ３８の作用により、洗濯水は通水路３９を通り吐出口４０よりシャワー状に衣類上にかけられ、この上下の水流により効果的な洗浄を行うことができる。
【００２４】
つぎに、ウール等のデリケートな素材の衣類や型くずれの生じ易いブラウス等のおしゃれ着等を洗濯する場合は、移動ナット４４を逆方向に回し上方に移動させ非連結とし、図９に示すように循環ポンプ３８とパルセータ３６とを摺動部４３で回転摺動自在とする。このとき、パルセータ３６に設けた切り欠き部が回転停止手段４６と噛み合いパルセータ３６の回転は停止する。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２０リットル程度の給水を行う。このとき、パルセータ３６は回転停止手段４６により回転停止しているため、ウール等のデリケートな素材の衣類や型くずれの生じ易いブラウス等のおしゃれ着等の衣類に対する機械力すなわち物理力は皆無となる。これにより布傷み・縮み・型くずれ・からみ等の皆無な洗浄が可能となる。また循環ポンプ２８は駆動軸２７と連結しているため高速で回転し、洗濯水は通水路３９を通り吐出口４０よりシャワー状に吐出する循環が可能となる。このようにパルセータ３６の回転が停止した状態でも、衣類上への循環シャワーの供給が可能となり、衣類の動きを皆無としながらも循環水流により衣類を通過する水流を生じさ、さらに洗剤の溶解を早めることができ、衣類に優しい洗浄を行うことができるとともに洗浄性能の高いおしゃれ着洗浄を実現することが可能となる。特に毛糸のセーターなど極端に機械力に弱く毛玉の生じやすい衣類は、循環シャワーにより洗濯水は十分に衣類へ浸透すると同時に、循環ポンプによる下方への洗濯水の引き込みにより衣類へ圧力が生じ、押し洗いの効果も期待できる。さらにはパルセータ３６への衣類の接触をまったく気にする必要がなくなり洗濯に必要な水量は衣類が浸る程度で済み、従来の洗濯機での低機械力洗浄方式では洗濯水量が５２リットル程度必要であったのに対し、本実施例では２０リットル程度と約半分以下の極めて少量の洗濯水で洗浄が可能となるとともに洗剤使用量も極めて少量で洗浄することができる。
【００２５】
次に第５の実施例について図１２、図１３、図１４に基づいて説明する。４７は洗浄手段すなわちパルセータであり、４８はモータ８の回転駆動力を伝達機構７を介して伝える駆動部すなわち駆動軸である。４９はパルセータ４７の下部に設けた駆動軸４８と連結する流体羽根であり、流体羽根４９の回転によりパルセータ４７との間の洗濯水の回転水流を作り、この回転水流によりパルセータ４７を低速回転駆動するものである。５０は駆動軸４８に設けたパルセータ４７と噛み合う嵌合凸部５１を有する嵌合ナットであり、パルセータ４７には駆動軸４８の嵌合凸部５１と噛み合う嵌合凹部５２を設けている。嵌合ナット５０を回転させることにより嵌合ナット５０を上下させ、パルセータ４７と駆動軸４８とを連結させる構成としている。またパルセータ４７は駆動軸４８と摺動部５３で回転摺動可能としている。
【００２６】
以下に本実施例の動作を説明する。通常の衣類を洗濯する場合は、嵌合ナット５０を回し下方に移動させ嵌合凸部５１と嵌合凹部５２を連結し、図１４に示すように流体羽根４９とパルセータ４７とを一体とする。このとき、駆動軸４８が回転すると流体羽根４９およびパルセータ４７が一体で回転する。このときは全く通常の全自動洗濯機として洗浄、すすぎ、脱水が行える。
【００２７】
つぎに、ウール等のデリケートな素材の衣類や型くずれの生じ易いブラウス等のおしゃれ着等を洗濯する場合は、嵌合ナット５０を逆方向に回し上方に移動させ非連結とし、図１３に示すようにパルセータ４７は摺動部５３で回転摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ４７と駆動軸４８とは非連結状態であり、駆動軸４８と連結している流体羽根４９は高速回転を行っているため、パルセータ４７と流体羽根４９間の洗濯水には回転水流が生じる。この回転水流によりパルセータ４７を穏やかに確実にかつ回転させることができ、衣類に対する傷み・縮み・型くずれ・からみ等の少ない洗浄が可能となる。さらにパルセータ４７の回転力は回転流体によるため、衣類の量が多量の時等パルセータ４７に衣類が接触する機会が多い時は、パルセータ４７の回転は極めて低速となり、どのような量あるいはどのような種類の衣類の時でも優しい洗浄を行うことができるとともに洗浄性能の高いおしゃれ着洗浄の実現が可能となる。さらにはパルセータ４７への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００２８】
次に第６の実施例について図１５、図１６、図１７に基づいて説明する。５４は洗浄手段すなわちパルセータであり、５５はモータ８の回転駆動力を伝達機構７を介して伝える駆動部すなわち駆動軸である。５６はパルセータ５４の下部に設けた駆動軸５５と連結する流体羽根であり、流体羽根５６の回転によりパルセータ５４との間の洗濯水の回転水流を作り、この回転水流によりパルセータ５４を低速回転駆動するものである。流体羽根５６にはパルセータ５４と噛み合う流体羽根嵌合部５７を設け、パルセータ５４には流体羽根嵌合部５７と噛み合うパルセータ嵌合部５８を設けている。パルセータ５４は駆動軸５５に対して摺動部５９で回転かつ上下摺動可能としている。６０は移動ナットであり、移動ナット６０を回転させることによりバネ６１で上方に付勢したパルセータ５４を上下する構成としている。
【００２９】
以下に本実施例の動作を説明する。通常の衣類を洗濯する場合は、移動ナット６１を回し下方に移動させ流体羽根嵌合部５７とパルセータ嵌合部５８を連結し、図１７のように駆動軸５５と流体羽根５６とパルセータ５４とを一体とする。このときは全く通常の全自動洗濯機として洗浄、すすぎ、脱水が行える。
【００３０】
つぎに、ウール等のデリケートな素材の衣類や型くずれの生じ易いブラウス等のおしゃれ着等を洗濯する場合は、嵌合ナット６０を逆方向に回し上方に移動させ非連結とし、図１６に示すようにパルセータ５４は摺動部５９で回転摺動自在かつ上下摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ５４と駆動軸５５とは非連結状態であり、駆動軸５５と連結している流体羽根５６は高速回転を行っているため、パルセータ５４と流体羽根５６間の洗濯水には回転水流が生じる。この回転水流によりパルセータ５４を穏やかにかつ確実に回転させることができるとともに、流体羽根５６の中央部には回転水流の吸い込みによる低圧力状態となり、この吸引力により上下摺動可能なパルセータ５４を上下運動可能となる。すなわち流体羽根５６を回転、停止と間欠駆動することにより、流体羽根５６が回転中はパルセータ５４が吸引力により下方に移動し、停止中はバネ６１の力により上方へ移動し、この繰り返しによりパルセータ５４を上下運動させることができる。これにより、洗濯水の上下方向の水流を作ることが可能となり、押し洗いの効果が期待でき、衣類に対する傷み・縮み・型くずれ・からみ等が少なく、かつ洗浄性能の高いおしゃれ着洗浄が可能となる。さらにパルセータ５４の回転力は回転流体によるため、衣類の量が多量の時等パルセータ５４に衣類が接触する機会が多い時は、パルセータ５４の回転を極めて低速となり、どのような量あるいはどのような種類の衣類の時でも優しい洗浄を行うことができる。さらにはパルセータ５４への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００３１】
次に第７の実施例について図１８、図１９、図２０に基づいて説明する。６２は洗浄手段すなわちパルセータであり、６３はモータ８の回転駆動力を伝達機構７を介して伝える駆動部すなわち駆動軸である。６４はパルセータ６２の下部に設け、洗濯槽２内の洗濯水を循環する循環ポンプ機能を有する循環ポンプ羽根６５と洗濯水を作動流体としてパルセータ６２と流体結合する機能を有する流体羽根６６とを備えた回転体であり、回転体６４の回転によりパルセータ６２との間の洗濯水の回転水流を作り、この回転水流によりパルセータ６２を低速回転駆動するものである。６７は循環ポンプ羽根６５で送られる洗濯水の通水路であり、上部には吐出口６８を設けている。６９は駆動軸６３に設けたパルセータ６２と噛み合う嵌合凸部７０を有する嵌合ナットであり、パルセータ６２には駆動軸６３の嵌合凸部７０と噛み合う嵌合凹部７１を設けている。嵌合ナット６９を回転させることにより嵌合ナット６９を上下させ、パルセータ６２と駆動軸６３とを連結させる構成としている。またパルセータ６２は駆動軸６３と摺動部７２で回転摺動可能としている。
【００３２】
以下に本実施例の動作を説明する。通常の衣類を洗濯する場合は、嵌合ナット６９を回し下方に移動させ嵌合凸部７０と嵌合凹部７１を連結し、図２０に示すように回転体６４とパルセータ６２とを一体とする。このとき、駆動軸６３が回転すると回転体６４およびパルセータ６２が一体で回転する。循環ポンプ羽根６５の作用により、洗濯水は通水路６７を通り吐出口６８よりシャワー状に衣類上にかけられ、この上下の水流により効果的な洗浄を行うことができる。この後通常の全自動洗濯機と同様にすすぎ、脱水を行う。
【００３３】
つぎに、ウール等のデリケートな素材の衣類や型くずれの生じ易いブラウス等のおしゃれ着等を洗濯する場合は、嵌合ナット６９を逆方向に回し上方に移動させ非連結とし、図１９に示すように回転体６４とパルセータ６２とを摺動部７２で回転摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ６２と駆動軸６３とは非連結状態であり、駆動軸６３と連結している回転体６４は高速回転を行っているため、流体羽根６６の作用によりパルセータ６２と回転体６４間の洗濯水には回転水流が生じる。この回転水流によりパルセータ６２を穏やかにかつ確実に回転させることができ、衣類に対する傷み・縮み・型くずれ・からみ等の少ない洗浄が可能となる。さらに、循環ポンプ羽根６５が高速で回転し、洗濯水は通水路６７を通り吐出口６８よりシャワー状に吐出する循環が可能となり、衣類上への循環シャワーの供給により、衣類の動きを皆無としながらも循環水流により衣類を通過する水流を生じさせることができ、衣類に優しい洗浄を行うことができるとともに洗浄性能の高いおしゃれ着洗浄を実現することが可能となる。さらにパルセータ６２の回転力は回転流体によるため、衣類の量が多量の時等パルセータ６２に衣類が接触する機会が多い時は、パルセータ６２の回転を極めて低速となり、どのような量あるいはどのような種類の衣類の時でも優しい洗浄を行うことができるとともに洗浄性能の高いおしゃれ着洗浄の実現が可能となる。さらにはパルセータ６２への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００３４】
次に第８の実施例について図２１、図２２、図２３に基づいて説明する。７３は洗浄手段すなわちパルセータであり、７４はモータ８の回転駆動力を伝達機構７を介して伝える駆動部すなわち駆動軸である。７５はパルセータ７３の下部に設け、洗濯槽２内の洗濯水を循環する循環ポンプ機能を有する循環ポンプ羽根７６と洗濯水を作動流体としてパルセータ７３と流体結合する機能を有する流体羽根７７とを備えた回転体であり、回転体７５の回転によりパルセータ７３との間の洗濯水の回転水流を作り、この回転水流によりパルセータ７３を低速回転駆動するものである。７８は循環ポンプ羽根７６で送られる洗濯水の通水路であり、上部には吐出口７９を設けている。回転体７５にはパルセータ７３と噛み合う回転体嵌合部８０を設け、パルセータ７３には回転体嵌合部８０と噛み合うパルセータ嵌合部８１を設けている。パルセータ７３は駆動軸７４に対して駆動軸７４に設けた摺動部８２で回転かつ上下摺動可能としている。８３は移動ナットであり、移動ナット８３を回転させることによりバネ８４で上方に付勢したパルセータ７３を上下する構成としている。
【００３５】
以下に本実施例の動作を説明する。通常の衣類を洗濯する場合は、移動ナット８３を回し下方に移動させ回転体７５の回転体嵌合部８１とパルセータ嵌合部８１を連結し、図２３のように駆動軸７４と回転体７５とパルセータ７３とを一体とする。このとき、駆動軸７４が回転すると回転体７５およびパルセータ７３が一体で回転する。循環ポンプ羽根７７の作用により、洗濯水は通水路７８を通り吐出口７９よりシャワー状に衣類上にかけられ、この上下の水流により効果的な洗浄を行うことができる。この後通常の全自動洗濯機と同様にすすぎ、脱水を行う。このときは全く通常の全自動洗濯機として洗浄、すすぎ、脱水が行える。
【００３６】
つぎに、ウール等のデリケートな素材の衣類や型くずれの生じ易いブラウス等のおしゃれ着等を洗濯する場合は、嵌合ナット８３を逆方向に回し上方に移動させ非連結とし、図２２に示すようにパルセータ７３を摺動部８２で回転摺動自在かつ上下摺動自在とする。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２６リットル程度の給水を行う。このとき、パルセータ７３と駆動軸７４とは非連結状態であり、駆動軸７４と連結している回転体７５は高速回転を行っているため、パルセータ７３と流体羽根７７間の洗濯水には回転水流が生じる。この回転水流によりパルセータ７３を穏やかにかつ確実に回転させることができるとともに、流体羽根７７の中央部には回転水流の吸い込みによる低圧力状態となり、この吸引力により上下摺動可能なパルセータ５４を上下運動可能となる。すなわち回転体７５を回転、停止と間欠駆動することにより、回転体７５が回転中はパルセータ７３が吸引力により下方に移動し、停止中はバネ８４の力により上方へ移動し、この繰り返しによりパルセータ７３を上下運動させることができる。これにより、洗濯水の上下方向の水流を作ることが可能となり、衣類に対する傷み・縮み・型くずれ・からみ等が少なく、かつ洗浄性能の高いおしゃれ着洗浄が可能となる。さらに、回転体７５に設けた循環ポンプ羽根７７の作用により、洗濯水は通水路７８を通り吐出口７９よりシャワー状に吐出する循環水流が発生し、衣類上への循環シャワーの供給により、衣類の動きを皆無としながらも循環水流により衣類を通過する水流を生じさせることができ、衣類に優しい洗浄を行うことができるとともによりいっそう洗浄性能の高いおしゃれ着洗浄を実現することが可能となる。さらにパルセータ７３の回転力は回転流体によるため、衣類の量が多量の時等パルセータ７３に衣類が接触する機会が多い時は、パルセータ７３の回転を極めて低速となり、どのような量あるいはどのような種類の衣類の時でも優しい洗浄を行うことができるとともに洗浄性能の高いおしゃれ着洗浄の実現が可能となる。さらにはパルセータ７３への衣類の接触も気にする必要がなくなり洗濯に必要な水量は衣類が浸る程度で済み、従来の洗濯機での低機械力洗浄方式では洗濯水量が５２リットル程度必要であったのに対し、本実施例では２６リットル程度と約半分の極めて少量の洗濯水で洗浄が可能となるとともに洗剤使用量も極めて少量で洗浄することができる。
【００３７】
次に第９の実施例について図２４、図２５、図２６、図２７に基づいて説明する。８５は洗浄手段すなわちパルセータであり、８６はモータ８の回転駆動力を伝達機構７を介して伝える駆動部すなわち駆動軸である。８７はパルセータ８５の下部に設け、洗濯槽２内の洗濯水を循環する循環ポンプ機能を有する循環ポンプ羽根８８と洗濯水を作動流体としてパルセータ８５と流体結合する機能を有する流体羽根８９とを備えた回転体であり、回転体８７の回転によりパルセータ８５との間の洗濯水の回転水流を作り、この回転水流によりパルセータ８５を低速回転駆動するものである。９０は循環ポンプ羽根８８で送られる洗濯水の通水路であり、上部には吐出口９１を設けている。回転体８７にはパルセータ８５と噛み合う回転体嵌合部９２を設け、パルセータ８５には回転体嵌合部９２と噛み合うパルセータ嵌合部９３を設けている。パルセータ８５は駆動軸８６に対して駆動軸８６に設けた摺動部９４で回転かつ上下摺動可能としている。９５は移動ナットであり、移動ナット９５を回転させることによりバネ９６で上方に付勢したパルセータ８５を上下する構成としている。９７はパルセータ８５が駆動軸８６と回転摺動自在時に、パルセータ８５の回転を強制的に止める回転停止手段である。
【００３８】
以下に本実施例の動作を説明する。通常の衣類を洗濯する場合は、移動ナット９５を回し下方に移動させ回転体８７の回転体嵌合部９２とパルセータ嵌合部９３を連結し、図２６のように駆動軸８６と回転体８７とパルセータ８５とを一体とする。このとき、駆動軸８６が回転すると回転体８７およびパルセータ８５が一体で回転し、回転停止手段９７によりパルセータ８５の回転を阻害することはない。循環ポンプ羽根８８の作用により、洗濯水は通水路９０を通り吐出口９１よりシャワー状に衣類上にかけられ、この上下の水流により効果的な洗浄を行うことができる。この後通常の全自動洗濯機と同様にすすぎ、脱水を行う。このときは全く通常の全自動洗濯機として洗浄、すすぎ、脱水が行える。
【００３９】
つぎに、ウール等のデリケートな素材の衣類や型くずれの生じ易いブラウス等のおしゃれ着等を洗濯する場合は、移動ナット９５を逆方向に回し上方に移動させ非連結とし、図２５に示すようにパルセータ８５を摺動部９４で回転摺動自在かつ上下摺動自在とする。このとき、パルセータ８５に設けた切り欠き部が回転停止手段９７と噛み合いパルセータ８５の回転は停止する。本実施例では１．２ｋｇ程度のおしゃれ着を脱水槽３に入れ、その洗濯物の量に応じて所定量の洗剤を上記洗剤入れ１３内へ投入する。その後給水弁１２に通電し、洗剤入れ１３内の洗剤とともに洗濯槽２内へ給水する。本実施例では２０リットル程度の給水を行う。このとき、パルセータ８５は回転停止手段９７により回転停止しているため、ウール等のデリケートな素材の衣類や型くずれの生じ易いブラウス等のおしゃれ着等の衣類に対する機械力すなわち物理力は皆無となる。これにより布傷み・縮み・型くずれ・からみ等の皆無な洗浄が可能となる。また、駆動軸８６と連結している回転体８７は高速回転を行っているため、パルセータ８５と流体羽根８９間の洗濯水には回転水流が生じる。この回転水流により流体羽根８９の中央部には回転水流の吸い込みによる低圧力状態となり、この吸引力により上下摺動自在のパルセータ８５は上下運動を行う。すなわち回転体８７を回転、停止と間欠駆動することにより、回転体８７が回転中はパルセータ８５が吸引力により下方に移動し、停止中はバネ９６の力により上方へ移動し、この繰り返しによりパルセータ８５を上下運動させることができる。これにより、洗濯水の上下方向の水流を作ることが可能となり、衣類に対する傷み・縮み・型くずれ・からみ等が少なく、かつ洗浄性能の高いおしゃれ着洗浄が可能となる。さらに、回転体８７に設けた循環ポンプ羽根８８の作用により、洗濯水は通水路９０を通り吐出口９１よりシャワー状に吐出する循環水流が発生し、衣類上への循環シャワーの供給により、衣類の動きを皆無としながらも循環水流により衣類を通過する水流を生じさせ、さらに洗剤の溶解を早めることができることができ、衣類に優しい洗浄を行うことができるとともによりいっそう洗浄性能の高いおしゃれ着洗浄を実現することが可能となる。さらにパルセータ８５は回転停止手段力９７により回転を停止させているため、パルセータ８５への衣類の接触をまったく気にする必要がなくなり洗濯に必要な水量は衣類が浸る程度で済み、従来の洗濯機での低機械力洗浄方式では洗濯水量が５２リットル程度必要であったのに対し、本実施例では２０リットル程度と約半分以下の極めて少量の洗濯水で洗浄が可能となるとともに洗剤使用量も極めて少量で洗浄することができる。
【００４０】
【発明の効果】
以上のように本発明の請求項１に記載の発明によれば、洗濯水を溜めるとともに洗濯物を収容する洗濯槽と、前記洗濯槽内の洗濯物を撹拌するパルセータと、通水路を通してその上部に設けた吐出口から前記洗濯槽内の洗濯物上に洗濯水をかける循環ポンプと、前記循環ポンプを駆動する駆動部と、前記駆動部を回転させるモータとを備え、前記パルセータを上下動自在に構成するとともに、前記循環ポンプを前記パルセータの下部に設け、前記パルセータは、下方へ移動させて前記循環ポンプと一体で回転する連結状態と、前記パルセータを上方へ移動させて前記循環ポンプと非連結状態となるように切換可能に構成したから、洗濯物に作用する機械力が極めて小さく、かつ、循環水流による衣類に優しい洗浄で高い洗浄効果を得ることができるとともに、衣類に機械力を加えて汚れを効率よく落とす通常の洗浄の両方を実現することができる。
【００４１】
また、請求項２に記載の発明によれば、パルセータは、循環ポンプと非連結状態としたときに前記循環ポンプに対して回転摺動自在となるように構成したから、パルセータを穏やかに回転させることができ、衣類に優しい洗浄を行うことができる。
【００４２】
また、請求項３に記載の発明によれば、洗濯水を溜めるとともに洗濯物を収容する洗濯槽と、前記洗濯槽内の洗濯物を撹拌する上下動自在なパルセータと、前記パルセータを上方へ付勢するバネと、前記洗濯槽内の洗濯水に回転水流をつくる流体羽根と、前記流体羽根を駆動する駆動部と、前記駆動部を回転させるモータとを備え、前記流体羽根を前記パルセータの下部に設けるとともに、前記パルセータは、前記流体羽根の間欠駆動により駆動時の回転水流による下方への吸引力と、停止時の前記バネの上方への付勢力により上下動する構成としたから、回転水流と上下水流による衣類に優しい洗浄で高い洗浄効果を得ることができるとともに、衣類に機械力を加えて汚れを効率よく落とす通常の洗浄の両方を実現することができる。
【図面の簡単な説明】
【図１】  本発明の第１の実施例を示す全自動洗濯機の側面断面図
【図２】  本発明の第２の実施例を示す全自動洗濯機の側面断面図
【図３】  同実施例の要部側面断面図
【図４】  同実施例の要部側面断面図
【図５】  本発明の第３の実施例を示す全自動洗濯機の側面断面図
【図６】  同実施例の要部側面断面図
【図７】  同実施例の要部側面断面図
【図８】  本発明の第４の実施例を示す全自動洗濯機の側面断面図
【図９】  同実施例の要部側面断面図
【図１０】  同実施例の要部側面断面図
【図１１】  同実施例の平面断面図
【図１２】  本発明の第５の実施例を示す全自動洗濯機の側面断面図
【図１３】  同実施例の要部側面断面図
【図１４】  同実施例の要部側面断面図
【図１５】  本発明の第６の実施例を示す全自動洗濯機の側面断面図
【図１６】  同実施例の要部側面断面図
【図１７】  同実施例の要部側面断面図
【図１８】  本発明の第７の実施例を示す全自動洗濯機の側面断面図
【図１９】  同実施例の要部側面断面図
【図２０】  同実施例の要部側面断面図
【図２１】  本発明の第８の実施例を示す全自動洗濯機の側面断面図
【図２２】  同実施例の要部側面断面図
【図２３】  同実施例の要部側面断面図
【図２４】  本発明の第９の実施例を示す全自動洗濯機の側面断面図
【図２５】  同実施例の要部側面断面図
【図２６】  同実施例の要部側面断面図
【図２７】  同実施例の平面断面図
【図２８】  従来の全自動洗濯機の側面断面図
【符号の説明】
１  本体
２  洗濯槽
３  脱水槽
８  モータ
１２  給水弁
１３  洗剤入れ
１４  パルセータ
１５  駆動軸路
１６  嵌合凸部
１７  嵌合ナット
１８  嵌合凹部
１９  摺動部
【図１】
0003713729.tif 000002
【図２】
0003713729.tif 000003
【図３】
0003713729.tif 000004
【図４】
0003713729.tif 000005
【図５】
0003713729.tif 000006
【図６】
0003713729.tif 000007
【図７】
0003713729.tif 000008
【図８】
0003713729.tif 000009
【図９】
0003713729.tif 000010
【図１０】
0003713729.tif 000011
【図１１】
0003713729.tif 000012
【図１２】
0003713729.tif 000013
【図１３】
0003713729.tif 000014
【図１４】
0003713729.tif 000015
【図１５】
0003713729.tif 000016
【図１６】
0003713729.tif 000017
【図１７】
0003713729.tif 000018
【図１８】
0003713729.tif 000019
【図１９】
0003713729.tif 000020
【図２０】
0003713729.tif 000021
【図２１】
0003713729.tif 000022
【図２２】
0003713729.tif 000023
【図２３】
0003713729.tif 000024
【図２４】
0003713729.tif 000025
【図２５】
0003713729.tif 000026
【図２６】
0003713729.tif 000027
【図２７】
0003713729.tif 000028
【図２８】
0003713729.tif 000029